(57)【要約】  記録媒体、再生装置及び再生方法、記録装置及び記録方法に係り、クラスタ単位でデータが記録された該記録媒体において、各クラスタは複数個のアドレスフィールドを含み、アドレスフィールドそれぞれは、３２ビットのアドレスユニット番号のアドレス情報を含むが、ＡＵＮアドレス情報は、４ビットで記録される予備領域、アドレスユニット番号のアドレス情報に対応するデータが記録されたレイヤを示す、３ビットで記録されるレイヤ情報、ＡＵＮアドレス情報に対応するデータの位置を示す、２５ビットで記録される位置情報を含み、アドレスを記録する空間を拡張し、データ構造内でデータのアドレスを記録するアドレス領域を確保することができる。
2010510610.tif 000002
【特許請求の範囲】
【請求項１】
記録及び／または再生装置により読み取られる、クラスタ単位でデータが記録された記録媒体において、
前記クラスタそれぞれは複数個のアドレスフィールドを含み、
前記アドレスフィールドそれぞれは、３２ビットのアドレスユニット番号のアドレス情報を含み、
前記アドレスユニット番号のアドレス情報は、
４ビットで記録される予備領域と、
前記アドレスユニット番号のアドレス情報に対応するデータが記録されたレイヤを決定するにおいて前記装置によって使われる、３ビットで記録されるレイヤ情報と、
前記アドレスユニット番号のアドレス情報に対応するデータの位置を決定するにおいて前記装置によって使われる、２５ビットで記録される位置情報とを含むことを特徴とする記録媒体。
【請求項２】
前記クラスタそれぞれは複数個のセクタをさらに含み、前記複数個のセクタのうち２個のセクタ別に、１つのアドレスフィールドが割り当てられることを特徴とする請求項１に記載の記録媒体。
【請求項３】
前記クラスタそれぞれの前記複数個のアドレスフィールドは、１６個のアドレスフィールドを含むことを特徴とする請求項２に記載の記録媒体。
【請求項４】
前記予備領域は、前記記録媒体に生じた欠陥についての状態情報を含むことを特徴とする請求項１に記載の記録媒体。
【請求項５】
前記アドレスフィールドそれぞれは、１バイトのフラッグ情報及び対応するアドレスフィールドについての４バイトのパリティ情報をさらに含むことを特徴とする請求項１に記載の記録媒体。
【請求項６】
前記１バイトのフラッグ情報は、前記クラスタの前記アドレス情報以外に、追加情報を含むことを特徴とする請求項５に記載の記録媒体。
【請求項７】
前記１バイトのフラッグ情報は、前記アドレスユニット番号のアドレス情報に対応する前記データが記録された時間及び日付付についての情報を含むことを特徴とする請求項６に記載の記録媒体。
【請求項８】
前記予備領域は最上位４ビットで記録され、前記レイヤ情報は、前記最上位４ビットの次の３ビットで記録されることを特徴とする請求項１に記載の記録媒体。
【請求項９】
記録及び／または再生装置によって読み取られる、クラスタ単位でデータが記録された記録媒体において、
前記クラスタそれぞれは複数個のアドレスフィールドを含み、
前記アドレスフィールドそれぞれは、３２ビットのアドレスユニット番号のアドレス情報を含み、
前記アドレスユニット番号のアドレス情報は、
４ビットで記録される予備領域と、
１ビットで記録される容量拡張領域と、
前記アドレスユニット番号のアドレス情報に対応するデータが記録されたレイヤを決定するにおいて前記装置によって使われる、３ビットで記録されるレイヤ情報と、
前記アドレスユニット番号のアドレス情報に対応するデータの位置を決定するにおいて前記装置によって使われる、２４ビットで記録される位置情報とを含むことを特徴とする記録媒体。
【請求項１０】
前記クラスタそれぞれは複数個のセクタをさらに含み、前記複数個のセクタのうち２個のセクタ別に、１つのアドレスフィールドが割り当てられることを特徴とする請求項９に記載の記録媒体。
【請求項１１】
前記クラスタそれぞれに含まれる前記複数個のアドレスフィールドは、１６個であることを特徴とする請求項１０に記載の記録媒体。
【請求項１２】
前記予備領域は、ディスクに生じた欠陥についての状態情報を記録するために使われることを特徴とする請求項９に記載の記録媒体。
【請求項１３】
前記容量拡張領域は、前記位置情報で前記アドレスユニット番号に対応する前記データの位置をいずれも表示できない場合に利用されうることを特徴とする請求項９に記載の記録媒体。
【請求項１４】
前記アドレスフィールドそれぞれは、１バイトのフラッグ情報と、前記対応するアドレスフィールドについての４バイトのパリティ情報とをさらに含むことを特徴とする請求項９に記載の記録媒体。
【請求項１５】
前記フラッグ情報が記録された１バイトには、クラスタのアドレス情報以外に、追加情報が記録されることを特徴とする請求項１４に記載の記録媒体。
【請求項１６】
前記予備領域は最上位４ビットで記録され、前記容量拡張領域は、前記最上位４ビットの次の１ビットで記録され、前記レイヤ情報は、前記容量拡張領域の次の３ビットで記録されることを特徴とする請求項９に記載の記録媒体。
【請求項１７】
記録及び／または再生装置によって読み取られる、クラスタ単位でデータが記録された記録媒体において、
前記クラスタそれぞれは複数個のアドレスフィールドを含み、
前記アドレスフィールドそれぞれは、３２ビットのアドレスユニット番号のアドレス情報を含み、
前記アドレスユニット番号のアドレス情報は、
５ビットで記録される予備領域と、
前記アドレスユニット番号のアドレス情報に対応するデータが記録されたレイヤを決定するにおいて前記装置によって使われる、３ビットで記録されるレイヤ情報と、
前記アドレスユニット番号のアドレス情報に対応するデータの位置を決定するにおいて前記装置によって使われる、２４ビットで記録される位置情報とを含み、前記２４ビットのうち最下位１ビットは、２つの領域に区分された前記媒体でデータが記録される位置を判別するフラッグとして使われることを特徴とする記録媒体。
【請求項１８】
０の値を有する前記アドレスフィールドの最下位ビットは第１領域を示し、１の値を有する前記アドレスフィールドの最下位ビットは第２領域を示すことを特徴とする請求項１７に記載の記録媒体。
【請求項１９】
前記クラスタそれぞれは複数個のセクタをさらに含み、前記複数個のセクタのうち２個のセクタ別に、１つのアドレスフィールドが割り当てられることを特徴とする請求項１７に記載の記録媒体。
【請求項２０】
前記１つのクラスタに含まれる前記複数個のアドレスフィールドは、１６個であることを特徴とする請求項１９に記載の記録媒体。
【請求項２１】
前記予備領域は、ディスクに生じた欠陥についての状態情報を記録するために使われることを特徴とする請求項１７に記載の記録媒体。
【請求項２２】
前記アドレスフィールドそれぞれは、１バイトのフラッグ情報と、前記対応するアドレスフィールドについての４バイトのパリティ情報とをさらに含むことを特徴とする請求項１７に記載の記録媒体。
【請求項２３】
前記フラッグ情報が記録された１バイトには、クラスタのアドレス情報以外に、追加情報が記録されることを特徴とする請求項２２に記載の記録媒体。
【請求項２４】
前記予備領域は最上位５ビットで記録され、前記レイヤ情報は、前記最上位４ビットの次の３ビットで記録されることを特徴とする請求項１７に記載の記録媒体。
【請求項２５】
クラスタ単位でデータが記録された記録媒体の再生方法において、
アドレスユニット番号のアドレス情報に対応するデータが記録された前記記録媒体の目標位置に光ヘッドユニットを移動させる段階と、
前記記録媒体の前記目標位置で前記データを再生する段階とを含むが、
前記アドレスユニット番号のアドレス情報は、
４ビットで記録される予備領域と、
前記アドレスユニット番号のアドレス情報に対応するデータが記録されたレイヤを示す、３ビットで記録されるレイヤ情報と、
前記アドレスユニット番号のアドレス情報に対応するデータの位置を示す、２５ビットで記録される位置情報とを含むことを特徴とする記録媒体の再生方法。
【請求項２６】
前記予備領域は最上位４ビットで記録され、前記レイヤ情報は、前記最上位４ビットの次の３ビットで記録されることを特徴とする請求項２５に記載の記録媒体の再生方法。
【請求項２７】
クラスタ単位でデータが記録された記録媒体の再生方法において、
光ヘッドユニットをアドレスユニット番号のアドレス情報に対応するデータが記録された記録媒体の目標位置に移動させる段階と、
前記移動した位置で前記記録媒体を再生する段階とを含むが、
前記クラスタそれぞれは複数個のアドレスフィールドを含み、
前記アドレスフィールドそれぞれは、３２ビットのアドレスユニット番号のアドレス情報を含み、前記アドレスユニット番号のアドレス情報は、
４ビットで記録される予備領域と、
１ビットで記録される容量拡張領域と、
前記アドレスユニット番号のアドレス情報に対応するデータが記録されたレイヤを示す、３ビットで記録されるレイヤ情報と、
前記アドレスユニット番号のアドレス情報に対応するデータの位置を示す、２４ビットで記録される位置情報とを含むことを特徴とする記録媒体。
【請求項２８】
前記予備領域は最上位４ビットで記録され、前記容量拡張領域は、前記最上位４ビットの次の１ビットで記録され、前記レイヤ情報は、前記容量拡張領域の次の３ビットで記録されることを特徴とする請求項２７に記載の記録媒体の再生方法。
【請求項２９】
クラスタ単位でデータが記録された記録媒体の再生方法において、
光ヘッドユニットをアドレスユニット番号のアドレス情報に対応するデータが記録された記録媒体の目標位置に移動させる段階と、
前記移動した位置で前記記録媒体を再生する段階とを含むが、
前記クラスタそれぞれは複数個のアドレスフィールドを含み、
前記アドレスフィールドそれぞれは、３２ビットのアドレスユニット番号のアドレス情報を含み、
前記アドレスユニット番号のアドレス情報は、
５ビットで記録される予備領域と、
前記アドレスユニット番号のアドレス情報に対応するデータが記録されたレイヤを示す、３ビットで記録されるレイヤ情報と、
前記アドレスユニット番号のアドレス情報に対応するデータの位置を示す、２４ビットで記録される位置情報とを含み、前記２４ビットのうち最下位１ビットは、２つの領域に区分された前記媒体で、前記データが記録される位置を判別するフラッグとして使われることを特徴とする記録媒体の再生方法。
【請求項３０】
前記予備領域は最上位５ビットで記録され、前記レイヤ情報は、前記最上位４ビットの次の３ビットで記録されることを特徴とする請求項２９に記載の記録媒体の再生方法。
【請求項３１】
０の値を有する前記最下位ビットは第１領域を示し、１の値を有する前記最下位ビットは第２領域を示すことを特徴とする請求項２９に記載の記録媒体の再生方法。
【請求項３２】
クラスタ単位でデータが記録された記録媒体の再生装置において、
アドレスユニット番号のアドレス情報に対応するデータが記録された記録媒体の目標位置に光ヘッドユニットを移動させる制御部と、
前記記録媒体の前記目標位置で前記データを再生するピックアップ部とを備えるが、
前記クラスタそれぞれは複数個のアドレスフィールドを含み、
前記アドレスフィールドそれぞれは、３２ビットのアドレスユニット番号のアドレス情報を含み、
前記アドレスユニット番号のアドレス情報は、
４ビットで記録される予備領域と、
前記アドレスユニット番号のアドレス情報に対応するデータが記録されたレイヤを示す、３ビットで記録されるレイヤ情報と、
前記アドレスユニット番号のアドレス情報に対応するデータの位置を示す、２５ビットで記録される位置情報とを含むことを特徴とする記録媒体の再生装置。
【請求項３３】
前記予備領域は最上位４ビットで記録され、前記レイヤ情報は、前記最上位４ビットの次の３ビットで記録されることを特徴とする請求項３２に記載の記録媒体の再生装置。
【請求項３４】
クラスタ単位でデータが記録された記録媒体の再生装置において、
光ヘッドユニットをアドレスユニット番号のアドレス情報に対応するデータが記録された記録媒体の目標位置に移動させる制御部と、
前記移動した位置で前記記録媒体を再生するピックアップ部とを備えるが、
前記クラスタそれぞれは複数個のアドレスフィールドを含み、
前記アドレスフィールドそれぞれは、３２ビットのアドレスユニット番号のアドレス情報を含み、
前記アドレスユニット番号のアドレス情報は、
４ビットで記録される予備領域と、
前記予備領域の次の１ビットで記録される容量拡張領域と、
前記アドレスユニット番号のアドレス情報に対応するデータが記録されたレイヤを示す、３ビットで記録されるレイヤ情報と、
前記アドレスユニット番号のアドレス情報に対応するデータの位置を示す、２４ビットで記録される位置情報とを含むことを特徴とする記録媒体の再生装置。
【請求項３５】
前記予備領域は最上位４ビットで記録され、前記容量拡張領域は、前記最上位４ビットの次の１ビットで記録され、前記レイヤ情報は、前記容量拡張領域の次の３ビットで記録されることを特徴とする請求項３４に記載の記録媒体の再生装置。
【請求項３６】
クラスタ単位でデータが記録された記録媒体の再生装置において、
光ヘッドユニットをアドレスユニット番号のアドレス情報に対応するデータが記録された記録媒体の目標位置に移動させる制御部と、
前記移動した位置で前記記録媒体を再生するピックアップ部とを備えるが、
前記クラスタそれぞれは複数個のアドレスフィールドを含み、
前記アドレスフィールドそれぞれは、３２ビットのアドレスユニット番号のアドレス情報を含み、
前記アドレスユニット番号のアドレス情報は、
５ビットで記録される予備領域と、
前記アドレスユニット番号のアドレス情報に対応するデータが記録されたレイヤを示す、３ビットで記録されるレイヤ情報と、
前記アドレスユニット番号のアドレス情報に対応するデータの位置を示す、２４ビットで記録される位置情報とを含み、
前記２４ビットのうち最下位１ビットは、２つの領域に区分された前記媒体で、前記データが記録される位置を判別するフラッグとして使われることを特徴とする記録媒体の再生装置。
【請求項３７】
前記予備領域は最上位５ビットで記録され、前記レイヤ情報は、前記最上位４ビットの次の３ビットで記録されることを特徴とする請求項３６に記載の記録媒体の再生装置。
【請求項３８】
０の値を有する前記最下位ビットは第１領域を示し、１の値を有する前記最下位ビットは第２領域を示すことを特徴とする請求項３６に記載の記録媒体の再生装置。
【請求項３９】
クラスタ単位でデータを記録媒体に記録する方法において、
アドレスとデータとが記録されたクラスタを生成する段階と、
前記生成されたクラスタを前記記録媒体に記録する段階とを含むが、
前記クラスタそれぞれは複数個のアドレスフィールドを含み、
前記アドレスフィールドそれぞれは、３２ビットのアドレスユニット番号のアドレス情報を含み、
前記アドレスユニット番号のアドレス情報は、
４ビットで記録される予備領域と、
前記アドレスユニット番号のアドレス情報に対応するデータが記録されたレイヤを示す、３ビットで記録されるレイヤ情報と、
前記アドレスユニット番号のアドレス情報に対応するデータの位置を示す、２５ビットで記録される位置情報とを含むことを特徴とする記録媒体の記録方法。
【請求項４０】
前記予備領域は最上位４ビットで記録され、前記レイヤ情報は、前記最上位４ビットの次の３ビットで記録されることを特徴とする請求項３９に記載の記録媒体の記録方法。
【請求項４１】
クラスタ単位でデータが記録された記録媒体の記録方法において、
アドレスとデータとが記録されたクラスタを生成する段階と、
前記生成されたクラスタを記録媒体に記録する段階とを含むが、
前記クラスタは複数個のアドレスフィールドを含み、
前記アドレスフィールドそれぞれは、３２ビットのアドレスユニット番号のアドレス情報を含み、
前記アドレスユニット番号のアドレス情報は、
４ビットで記録される予備領域と、
１ビットで記録される容量拡張領域と、
前記アドレスユニット番号のアドレス情報に対応するデータが記録されたレイヤを示す、３ビットで記録されるレイヤ情報と、
前記アドレスユニット番号のアドレス情報に対応するデータの位置を示す、２４ビットで記録される位置情報とを含むことを特徴とする記録媒体の記録方法。
【請求項４２】
前記予備領域は最上位４ビットで記録され、前記容量拡張領域は、前記最上位４ビットの次の１ビットで記録され、前記レイヤ情報は、前記容量拡張領域の次の３ビットで記録されることを特徴とする請求項４１に記載の記録媒体の記録方法。
【請求項４３】
クラスタ単位でデータが記録された記録媒体の記録方法において、
アドレスとデータとが記録されたクラスタを生成する段階と、
前記生成されたクラスタを記録媒体に記録する段階とを含むが、
前記クラスタは複数個のアドレスフィールドを含み、
前記アドレスフィールドそれぞれは、３２ビットのアドレスユニット番号のアドレス情報を含み、
前記アドレスユニット番号のアドレス情報は、
５ビットで記録される予備領域と、
前記アドレスユニット番号のアドレス情報に対応するデータが記録されたレイヤを示す、３ビットで記録されるレイヤ情報と、
前記アドレスユニット番号のアドレス情報に対応するデータの位置を示す、２４ビットで記録される位置情報とを含み、前記２４ビットのうち最下位１ビットは、２つの領域に区分された前記媒体で、前記データが記録される位置を判別するフラッグとして使われることを特徴とする記録媒体の記録方法。
【請求項４４】
前記予備領域は最上位５ビットで記録され、前記レイヤ情報は、前記最上位４ビットの次の３ビットで記録されることを特徴とする請求項４３に記載の記録媒体の記録方法。
【請求項４５】
０の値を有する前記最下位ビットは第１領域を示し、１の値を有する前記最下位ビットは第２領域を示すことを特徴とする請求項４３に記載の記録媒体の記録方法。
【請求項４６】
クラスタ単位で記録媒体にデータを記録する記録装置において、
アドレスとデータとが記録されたクラスタを生成する信号処理部と、
前記生成されたクラスタを記録媒体に記録するピックアップ部とを備えるが、
前記クラスタそれぞれは複数個のアドレスフィールドを含み、
前記アドレスフィールドそれぞれは、３２ビットのアドレスユニット番号のアドレス情報を含み、
前記アドレスユニット番号のアドレス情報は、
４ビットで記録される予備領域と、
前記アドレスユニット番号のアドレス情報に対応するデータが記録されたレイヤを示す、３ビットで記録されるレイヤ情報と、
前記アドレスユニット番号のアドレス情報に対応するデータの位置を示す、２５ビットで記録される位置情報とを含むことを特徴とする記録媒体の記録装置。
【請求項４７】
前記予備領域は最上位４ビットで記録され、前記レイヤ情報は、前記最上位４ビットの次の３ビットで記録されることを特徴とする請求項４６に記載の記録媒体の記録装置。
【請求項４８】
クラスタ単位でデータが記録された記録媒体の記録装置において、
アドレスとデータとが記録されたクラスタを生成する信号処理部と、
前記生成されたクラスタを記録媒体に記録するピックアップ部とを備えるが、
前記クラスタは複数個のアドレスフィールドを含み、
前記アドレスフィールドそれぞれは、３２ビットのアドレスユニット番号のアドレス情報を含み、
前記アドレスユニット番号のアドレス情報は、
４ビットで記録される予備領域と、
１ビットで記録される容量拡張領域と、
前記アドレスユニット番号のアドレス情報に対応するデータが記録されたレイヤを示す、３ビットで記録されるレイヤ情報と、
前記アドレスユニット番号のアドレス情報に対応するデータの位置を示す、２４ビットで記録される位置情報とを含むことを特徴とする記録媒体の記録装置。
【請求項４９】
前記予備領域は最上位４ビットで記録され、前記容量拡張領域は、前記最上位４ビットの次の１ビットで記録され、前記レイヤ情報は、前記容量拡張領域の次の３ビットで記録されることを特徴とする請求項４８に記載の記録媒体の記録装置。
【請求項５０】
クラスタ単位でデータが記録された記録媒体の記録装置において、
アドレスとデータとが記録されたクラスタを生成する信号処理部と、
前記生成されたクラスタを記録媒体に記録するピックアップ部とを備えるが、
前記クラスタは複数個のアドレスフィールドを含み、
前記アドレスフィールドそれぞれは、３２ビットのアドレスユニット番号のアドレス情報を含み、
前記アドレスユニット番号のアドレス情報は、
５ビットで記録される予備領域と、
前記アドレスユニット番号のアドレス情報に対応するデータが記録されたレイヤを示す、３ビットで記録されるレイヤ情報と、
前記アドレスユニット番号のアドレス情報に対応するデータの位置を示す、２４ビットで記録される位置情報とを含み、前記２４ビットのうち最下位１ビットは、２つの領域に区分された前記媒体で、前記データが記録される位置を判別するフラッグとして使われることを特徴とする記録媒体の記録装置。
【請求項５１】
前記予備領域は最上位５ビットで記録され、前記レイヤ情報は、前記最上位４ビットの次の３ビットで記録されることを特徴とする請求項５０に記載の記録媒体の記録装置。
【請求項５２】
０の値を有する前記最下位ビットは第１領域を示し、１の値を有する前記最下位ビットは第２領域を示すことを特徴とする請求項５０に記載の記録媒体の記録装置。
【請求項５３】
記録及び／または再生装置によって読み取られる、クラスタ単位でデータが記録された記録媒体において、
前記クラスタそれぞれは複数個のアドレスフィールドを含み、
前記アドレスフィールドそれぞれは、３２ビットのアドレスユニット番号のアドレス情報を含み、
前記アドレスユニット番号のアドレス情報は、
少なくとも４ビットで記録される予備領域と、
前記アドレスユニット番号のアドレス情報に対応するデータが記録されたレイヤを決定するにおいて前記装置によって使われる、少なくとも３ビットで記録されるレイヤ情報と、
前記アドレスユニット番号のアドレス情報に対応するデータの位置を決定するにおいて前記装置によって使われる、少なくとも２４ビットで記録される位置情報とを含むことを特徴とする記録媒体。
【発明の詳細な説明】
【技術分野】
【０００１】
本発明の様相は、記録媒体、再生装置及び再生方法、記録装置及び記録方法に関するものである。
【背景技術】
【０００２】
最近、高画質のビデオデータと高音質のオーディオデータとを長時間記録して保存することができる新しい高密度記録媒体、例えば、ブルーレイ・ディスク（ＢＤ：Blu-ray  Disc）や高密度デジタルビデオ・ディスク（ＨＤ−ＤＶＤ：High  Definition  Digital  Versatile  Disc）だけではなく、それらより記録密度がさらに高いディスクも開発されている。
【０００３】
次世代記録媒体技術である高密度記録媒体は、既存の記録媒体（例えば、ＤＶＤ）をはるかに上回るデータを具備できる次世代光記録ソリューションとして、近来、他のデジタル機器と共に、これに係る開発が進められている。
【０００４】
図１は、高密度記録媒体の記録領域構造を示した図である。図１によるに、光記録媒体は、リードイン領域、データ領域及びリードアウト領域から構成される３つの部分に区分され、特に、データ領域は、実際のユーザデータが記録されるユーザデータ領域と、ユーザデータ領域内の欠陥領域を代替するためのスペア領域とから構成される。スペア領域は、データ領域の内周に位置したインナスペア領域（ＩＳＡ：Inner  Spare  Area）と、データ領域の外周に位置したアウタスペア領域（ＯＳＡ：Outer  Spare  Area）とから構成されている。
【０００５】
図１のように構成された光記録媒体の構造で、データ領域内のあらゆる領域は、クラスタ（cluster）単位で記録が行われ、特にそれぞれのクラスタは、複数の記録単位に細分される。例えば、本発明では、前記記録単位を「セクタ（sector）」と命名し、それぞれのクラスタ内には総３２個のセクタが備わり、２つのセクタ別に、１つのアドレスユニット番号（ＡＵＮ：Address  Unit  Number）が付与される。従って、それぞれのクラスタ内には、総１６個のＡＵＮアドレスが記録され、記録されたＡＵＮから各セクタのアドレス位置が確認可能になる。確認されたセクタアドレスを「物理的セクタ番号（ＰＳＮ：Physical  Sector  Number）」という。
【０００６】
図２は、高密度記録媒体内に記録されるデータフレーム構造を示した図である。図２によれば、クラスタ内にＥＣＣ（Error  Correction  Code）を構成する方法が図示されている。まず、記録を所望するユーザデータとユーザ制御データとで、記録するデータが構成される（２０１）。ユーザデータは、４バイトのエラー検出コード（ＥＤＣ：Error  Detection  Code）を追加してデータフレームを形成し（２０２）、データフレームは、スクランブルデータフレームを形成する（２０３）。スクランブルデータフレームの各行（column）はさらに再配列され、３０４行＊２１６列で構成された１つのデータブロックを形成する（２０４）。
【０００７】
データブロックは、エラー訂正能を具備するために、ＲＳ（Reed-Solomon）コードを追加したＬＤＣ（Long  Distance  Code）ブロックを形成する（２０５）。その後、ＬＤＣブロックは、エラー集中発生を防止するためのインターリービング（interleaving）過程を経て、１５２行４９６列で構成されたＬＤＣクラスタを形成する（２０６）。
【０００８】
ユーザ制御データは、１６個のＡＵＮ値及び制御情報を含むアドレスユニット（１６アドレス＊９バイト）を活用し（２０７）、記録及び再生装置が２４行ｘ３０列を有する当該クラスタ内のデータに接近（access）可能に、アクセスブロックを形成する（２０８）。アクセスブロックは、エラー訂正能を具備するために、ＲＳコードを追加した、さらに３２列のパリティを有するＢＩＳブロックを形成し（２０９）、ＢＩＳブロックは、エラー集中発生を防止するためのインターリービング過程を経て、３０行＊４９６列のＢＩＳクラスタを形成する（２１０）。
【０００９】
ＬＤＣクラスタとＢＩＳクラスタとを分割し、ＬＤＣ、ＢＩＳ、ＬＤＣ、ＢＩＳ、ＬＤＣ、ＢＩＳ、ＬＤＣに順序で配列し、１５５バイトＥＣＣクラスタを構成する（２１１）。各ＬＤＣは３８バイトサイズを有し、各ＢＩＳは、データフレームに１バイトサイズを有する。最後に、形成されたＥＣＣクラスタに同期情報などを付加し、データ領域内の特定クラスタに記録する（２１２）。結果として生成されるフレームは、２０ビットフレーム同期、交互に２５ビットデータ、１ビットＤＣ制御データの組を有する。
【００１０】
図２に図示されているようなデータ構造のディスクの容量は、だんだんと増えつつある。ディスクの容量が増えるにつれ、いかようにデータ構造内でそれらアドレスを記録するアドレス領域を確保するかという問題が発生する。
【発明の概要】
【発明が解決しようとする課題】
【００１１】
本発明の目的は、高密度の記録媒体において、データ構造内でアドレス領域を確保できるようにし、アドレス領域が確保された記録媒体、再生装置及び再生方法、記録装置及び記録方法を提供することを目的とする。
【課題を解決するための手段】
【００１２】
前記技術的課題は、クラスタ単位でデータが記録された記録媒体において、前記クラスタは複数個のアドレスフィールドを含み、前記アドレスフィールドそれぞれは、３２ビットのＡＵＮ（Address  Unit  Number）アドレス情報を含むが、前記ＡＵＮアドレス情報は、４ビットで記録される予備領域、前記ＡＵＮアドレス情報に対応するデータが記録されたレイヤを示す、３ビットで記録されるレイヤ情報、前記ＡＵＮアドレス情報に対応するデータの位置を示す、２５ビットで記録される位置情報を含むことを特徴とする記録媒体によって達成される。
【００１３】
前記クラスタそれぞれは複数個のセクタを含み、前記複数個のセクタのうち２個のセクタ別に、１つのアドレスフィールドが割り当てられることが望ましい。
【００１４】
前記１つのクラスタに含まれるアドレスフィールドは、１６個であることが望ましい。
【００１５】
前記予備領域は、ディスクに生じた欠陥についての状態情報を記録するために使われることが望ましい。
【００１６】
前記アドレスフィールドは、前記ＡＵＮアドレス情報以外に、１バイトのフラッグ情報及び４バイトの各アドレスフィールドについてのパリティ情報をさらに含むことが望ましい。
【００１７】
前記フラッグ情報が記録された１バイトには、クラスタのアドレス情報以外に、追加情報が記録されることが望ましい。
【００１８】
また、前記技術的課題は、クラスタ単位でデータが記録された記録媒体において、前記クラスタは複数個のアドレスフィールドを含み、前記アドレスフィールドそれぞれは、３２ビットのＡＵＮアドレス情報を含むが、前記ＡＵＮアドレス情報は、４ビットで記録される予備領域、１ビットで記録される容量拡張領域、前記ＡＵＮアドレス情報に対応するデータが記録されたレイヤを示す、３ビットで記録されるレイヤ情報、前記ＡＵＮアドレス情報に対応するデータの位置を示す、２４ビットで記録される位置情報を含むことを特徴とする記録媒体によって達成される。
【００１９】
前記クラスタそれぞれは複数個のセクタを含み、前記複数個のセクタのうち２個のセクタ別に、１つのアドレスフィールドが割り当てられることが望ましい。
【００２０】
前記１つのクラスタに含まれるアドレスフィールドは、１６個であることが望ましい。
【００２１】
前記予備領域は、ディスクに生じた欠陥についての状態情報を記録するために使われることが望ましい。
【００２２】
前記容量拡張領域は、前記下位２４ビットで前記ＡＵＮアドレス情報に対応するデータの位置をいずれも表示できない場合に利用されうることが望ましい。
【００２３】
前記アドレスフィールドは、前記ＡＵＮアドレス情報以外に、１バイトのフラッグ情報と、４バイトの各アドレスフィールドについてのパリティ情報とをさらに含むことが望ましい。
【００２４】
前記フラッグ情報が記録された１バイトには、クラスタのアドレス情報以外に、追加情報が記録されることが望ましい。
【００２５】
また前記技術的課題は、クラスタ単位でデータが記録された記録媒体において、前記クラスタは複数個のアドレスフィールドを含み、前記アドレスフィールドそれぞれは、３２ビットのＡＵＮアドレス情報を含むが、前記ＡＵＮアドレス情報は、５ビットで記録される予備領域、前記ＡＵＮアドレス情報に対応するデータが記録されたレイヤを示す、３ビットで記録されるレイヤ情報、前記ＡＵＮアドレス情報に対応するデータの位置を示す、２４ビットで記録される位置情報を含み、前記２４ビットのうち最下位１ビットは、２つの領域に区分された前記媒体で、前記データが記録される位置を判別するフラッグとして使われることを特徴とする記録媒体によって達成される。
【００２６】
前記アドレスフィールドの最下位１ビットは０を示す領域と１を示す領域とに区分されることが望ましい。
【００２７】
前記クラスタそれぞれは複数個のセクタを含み、前記複数個のセクタのうち２個のセクタ別に、１つのアドレスフィールドが割り当てられることが望ましい。
【００２８】
前記１つのクラスタに含まれるアドレスフィールドは、１６個であることが望ましい。
【００２９】
前記予備領域は、ディスクに生じた欠陥についての状態情報を記録するために使われることが望ましい。
【００３０】
前記アドレスフィールドは、前記ＡＵＮアドレス情報以外に、１バイトのフラッグ情報と、４バイトの各アドレスフィールドについてのパリティ情報とをさらに含むことが望ましい。
【００３１】
前記フラッグ情報が記録された１バイトには、クラスタのアドレス情報以外に、追加情報が記録されることが望ましい。
【００３２】
前記技術的課題は、本発明によるクラスタ単位でデータが記録された記録媒体の再生方法において、光ヘッドユニットをアドレス情報に対応する目標位置に移動させる段階と、前記移動した位置で前記記録媒体を再生する段階とを含むが、前記クラスタは複数個のアドレスフィールドを含み、前記アドレスフィールドそれぞれは、３２ビットのＡＵＮアドレス情報を含み、前記ＡＵＮアドレス情報は、４ビットで記録される予備領域、前記ＡＵＮアドレス情報に対応するデータが記録されたレイヤを示す、３ビットで記録されるレイヤ情報、前記ＡＵＮアドレス情報に対応するデータの位置を示す、２５ビットで記録される位置情報を含むことを特徴とする記録媒体の再生方法によって達成される。
【００３３】
前記技術的課題は、クラスタ単位でデータが記録された記録媒体の再生方法において、光ヘッドユニットをアドレス情報に対応する目標位置に移動させる段階と、前記移動した位置で前記記録媒体を再生する段階とを含むが、前記クラスタは複数個のアドレスフィールドを含み、前記アドレスフィールドそれぞれは、３２ビットのＡＵＮアドレス情報を含み、前記ＡＵＮアドレス情報は、４ビットで記録される予備領域、１ビットで記録される容量拡張領域、前記ＡＵＮアドレス情報に対応するデータが記録されたレイヤを示す、３ビットで記録されるレイヤ情報、前記ＡＵＮアドレス情報に対応するデータの位置を示す、２４ビットで記録される位置情報を含むことを特徴とする記録媒体の再生方法によって達成される。
【００３４】
前記技術的課題は、クラスタ単位でデータが記録された記録媒体の再生方法において、光ヘッドユニットをアドレス情報に対応する目標位置に移動させる段階と、前記移動した位置で前記記録媒体を再生する段階とを含むが、前記クラスタは複数個のアドレスフィールドを含み、前記アドレスフィールドそれぞれは、３２ビットのＡＵＮアドレス情報を含み、前記ＡＵＮアドレス情報は、５ビットで記録される予備領域、前記ＡＵＮアドレス情報に対応するデータが記録されたレイヤを示す、３ビットで記録されるレイヤ情報、前記ＡＵＮアドレス情報に対応するデータの位置を示す、２４ビットで記録される位置情報を含み、前記２４ビットのうち最下位１ビットは、２つの領域に区分された前記媒体で、前記データが記録される位置を判別するフラッグとして使われることを特徴とする記録媒体の再生方法によって達成される。
【００３５】
一方、前記技術的課題は、本発明によるクラスタ単位でデータが記録された記録媒体の再生装置において、光ヘッドユニットをアドレス情報に対応する目標位置に移動させる制御部と、前記移動した位置で前記記録媒体を再生するピックアップ部とを備えるが、前記クラスタは複数個のアドレスフィールドを含み、前記アドレスフィールドそれぞれは、３２ビットのＡＵＮアドレス情報を含み、前記ＡＵＮアドレス情報は、４ビットで記録される予備領域、前記ＡＵＮアドレス情報に対応するデータが記録されたレイヤを示す、３ビットで記録されるレイヤ情報、前記ＡＵＮアドレス情報に対応するデータの位置を示す、２５ビットで記録される位置情報を含むことを特徴とする記録媒体の再生装置によっても達成される。
【００３６】
前記技術的課題は、クラスタ単位でデータが記録された記録媒体の再生装置において、光ヘッドユニットをアドレス情報に対応する目標位置に移動させる制御部と、前記移動した位置で前記記録媒体を再生するピックアップと部を備えるが、前記クラスタは複数個のアドレスフィールドを含み、前記アドレスフィールドそれぞれは、３２ビットのＡＵＮアドレス情報を含み、前記ＡＵＮアドレス情報は、４ビットで記録される予備領域、１ビットで記録される容量拡張領域、前記ＡＵＮアドレス情報に対応するデータが記録されたレイヤを示す、３ビットで記録されるレイヤ情報、前記ＡＵＮアドレス情報に対応するデータの位置を示す、２４ビットで記録される位置情報を含むことを特徴とする記録媒体の再生装置によって達成される。
【００３７】
前記技術的課題は、クラスタ単位でデータが記録された記録媒体の再生装置において、光ヘッドユニットをアドレス情報に対応する目標位置に移動させる制御部と、前記移動した位置で前記記録媒体を再生するピックアップ部とを備えるが、前記クラスタは複数個のアドレスフィールドを含み、前記アドレスフィールドそれぞれは、３２ビットのＡＵＮアドレス情報を含み、前記ＡＵＮアドレス情報は、５ビットで記録される予備領域、前記ＡＵＮアドレス情報に対応するデータが記録されたレイヤを示す、３ビットで記録されるレイヤ情報、前記ＡＵＮアドレス情報に対応するデータの位置を示す、２４ビットで記録される位置情報を含み、前記２４ビットのうち最下位１ビットは、２つの領域に区分された前記媒体で、前記データが記録される位置を判別するフラッグとして使われることを特徴とする記録媒体の再生装置によって達成される。
【００３８】
前記技術的課題は、クラスタ単位でデータが記録された記録媒体の記録方法において、アドレスとデータとが記録されたクラスタを生成する段階と、前記生成されたクラスタを記録媒体に記録する段階とを含むが、前記クラスタは複数個のアドレスフィールドを含み、前記アドレスフィールドそれぞれは、３２ビットのＡＵＮアドレス情報を含み、前記ＡＵＮアドレス情報は、４ビットで記録される予備領域、前記ＡＵＮアドレス情報に対応するデータが記録されたレイヤを示す、３ビットで記録されるレイヤ情報、前記ＡＵＮアドレス情報に対応するデータの位置を示す、２５ビットで記録される位置情報を含むことを特徴とする記録媒体の記録方法によって達成される。
【００３９】
前記技術的課題は、クラスタ単位でデータが記録された記録媒体の記録方法において、アドレスとデータとが記録されたクラスタを生成する段階と、前記生成されたクラスタを記録媒体に記録する段階とを含むが、前記クラスタは複数個のアドレスフィールドを含み、前記アドレスフィールドそれぞれは、３２ビットのＡＵＮアドレス情報を含み、前記ＡＵＮアドレス情報は、４ビットで記録される予備領域、１ビットで記録される容量拡張領域、前記ＡＵＮアドレス情報に対応するデータが記録されたレイヤを示す、３ビットで記録されるレイヤ情報、前記ＡＵＮアドレス情報に対応するデータの位置を示す、２４ビットで記録される位置情報を含むことを特徴とする記録媒体の記録方法によって達成される。
【００４０】
前記技術的課題は、クラスタ単位でデータが記録された記録媒体の記録方法において、アドレスとデータとが記録されたクラスタを生成する段階と、前記生成されたクラスタを記録媒体に記録する段階とを含むが、前記クラスタは複数個のアドレスフィールドを含み、前記アドレスフィールドそれぞれは、３２ビットのＡＵＮアドレス情報を含み、前記ＡＵＮアドレス情報は、５ビットで記録される予備領域、前記ＡＵＮアドレス情報に対応するデータが記録されたレイヤを示す、３ビットで記録されるレイヤ情報、前記ＡＵＮアドレス情報に対応するデータの位置を示す、２４ビットで記録される位置情報を含み、前記２４ビットのうち最下位１ビットは、２つの領域に区分された前記媒体で、前記データが記録される位置を判別するフラッグとして使われることを特徴とする記録媒体の記録方法によって達成される。
【００４１】
前記技術的課題は、クラスタ単位でデータが記録された記録媒体の記録装置において、アドレスとデータとが記録されたクラスタを生成する信号処理部と、前記生成されたクラスタを記録媒体に記録するピックアップ部とを備えるが、前記クラスタは複数個のアドレスフィールドを含み、前記アドレスフィールドそれぞれは、３２ビットのＡＵＮアドレス情報を含み、前記ＡＵＮアドレス情報は、４ビットで記録される予備領域、前記ＡＵＮアドレス情報に対応するデータが記録されたレイヤを示す、３ビットで記録されるレイヤ情報、前記ＡＵＮアドレス情報に対応するデータの位置を示す、２５ビットで記録される位置情報を含むことを特徴とする記録媒体の記録装置によって達成される。
【００４２】
前記技術的課題は、クラスタ単位でデータが記録された記録媒体の記録装置において、アドレスとデータとが記録されたクラスタを生成する信号処理部と、前記生成されたクラスタを記録媒体に記録するピックアップ部とを備えるが、前記クラスタは複数個のアドレスフィールドを含み、前記アドレスフィールドそれぞれは、３２ビットのＡＵＮアドレス情報を含み、前記ＡＵＮアドレス情報は、４ビットで記録される予備領域、１ビットで記録される容量拡張領域、前記ＡＵＮアドレス情報に対応するデータが記録されたレイヤを示す、３ビットで記録されるレイヤ情報、前記ＡＵＮアドレス情報に対応するデータの位置を示す、２４ビットで記録される位置情報を含むことを特徴とする記録媒体の記録装置によって達成される。
【００４３】
前記技術的課題は、クラスタ単位でデータが記録された記録媒体の記録装置において、アドレスとデータとが記録されたクラスタを生成する信号処理部と、前記生成されたクラスタを記録媒体に記録するピックアップ部とを備えるが、前記クラスタは複数個のアドレスフィールドを含み、前記アドレスフィールドそれぞれは、３２ビットのＡＵＮアドレス情報を含み、前記ＡＵＮアドレス情報は、５ビットで記録される予備領域、前記ＡＵＮアドレス情報に対応するデータが記録されたレイヤを示す、３ビットで記録されるレイヤ情報、前記ＡＵＮアドレス情報に対応するデータの位置を示す、２４ビットで記録される位置情報を含み、前記２４ビットのうち最下位１ビットは、２つの領域に区分された前記媒体で、前記データが記録される位置を判別するフラッグとして使われることを特徴とする記録媒体の記録装置によって達成される。
【発明の効果】
【００４４】
本発明によれば、高密度の記録媒体において、アドレスを記録する空間を拡張し、データ構造内でデータのアドレスを記録するアドレス領域を確保することができる。
【００４５】
また、正確な位置のデータを再生でき、レイヤ番号とシーケンス番号との階層的構造を介して迅速な位置把握が可能である。
【図面の簡単な説明】
【００４６】
【図１】記録媒体の記録領域構造を示した図である。
【図２】記録媒体内に記録されるデータフレーム構造を示した図である。
【図３】記録媒体内に記録されるデータに含まれるアドレスユニットの構造を示した図である。
【図４】本発明の一実施形態によるＡＵＮアドレス情報の構造を示した図である。
【図５】本発明の他の実施形態によるＡＵＮアドレス情報の構造を示した図である。
【図６】本発明のさらに他の実施形態によるＡＵＮアドレス情報の構造を示した図である。
【図７】本発明による記録媒体の再生方法を示したフローチャートである。
【図８】本発明による記録媒体の記録方法を示したフローチャートである。
【図９】本発明による記録媒体の記録／再生装置を示したブロックダイアグラムである。
【発明を実施するための形態】
【００４７】
以下、添付された図面を参照しつつ、本発明の望ましい実施形態について詳細に説明する。
【００４８】
図３は、記録媒体内に記録されるデータに含まれるアドレスユニットの構造を図示したものである。図３を参照するに、１つのクラスタには、１６個のアドレスフィールドが含まれ、それぞれのアドレスフィールドは、９バイトの容量を有する。アドレスフィールドは、４バイトのＡＵＮ（Address  Unit  Number）アドレス情報、１バイトのフラッグ情報、及び４バイトの各アドレスフィールドについてのパリティ情報を含む。ＡＵＮアドレス情報は、複数のＥＣＣ（Error  Correction  Code）クラスタ内で、当該ＥＣＣクラスタのアドレスを示す。フラッグ情報は、ＡＵＮアドレス情報の次である、アドレスフィールドの５番目バイトに記録され、位置情報以外に、追加情報を記録するために使われる。例えば、データの記録日及び時間などを示すのに使われうる。残りの４バイトには、アドレスフィールドについてのパリティビットが配される。このパリティビットは、エラー訂正のためのものである。
【００４９】
図４は、本発明の一実施形態によるＡＵＮアドレス情報の構造を示した図である。
【００５０】
それぞれのアドレスフィールドは、９バイトのアドレス情報を含むが、そのうち、ＡＵＮアドレス情報が割り当てられた４バイトは、複数のＥＣＣクラスタ内で、当該ＥＣＣクラスタのアドレスを示す。８ビットが１バイトを構成するので、４バイトの情報は、３２ビットで表現される。
【００５１】
図４を参照するに、ＡＵＮアドレス情報のうち、２８−３１ビットである上位４ビットは、予備（reserved）領域に割り当てられ、次の３ビット（すなわち、２５−２７ビット）は、前記ＡＵＮアドレス情報に対応するデータが記録されたレイヤ情報を、残りの２５ビット（すなわち、０−２４ビット）は、ＡＵＮアドレス情報に対応するデータの位置を示す。前記予備領域は、記録または書き換え可能なディスクでの位置情報ではない付加情報を表示するために使われうる。例えば、予備領域は、欠陥が発生したクラスタアドレスと、これを代替するクラスタのアドレスとを含んでいる欠陥リストエントリの状態情報を表示する用途として使われうる。
【００５２】
レイヤ情報は、ＡＵＮアドレス情報に対応するデータが記録媒体のどの層に記録されているかという層番号を示す。
【００５３】
ＡＵＮアドレス情報に対応するデータの位置が２５ビットで表現されるので、各レイヤ当たり、２２５に対応する空間のアドレスを示すことができる。１つのアドレスが２つのユーザデータセクタに割り当てられる。従って、ＡＵＮアドレス情報の一番下のビット（すなわち、ビット０）は、０に固定される。
【００５４】
図５は、本発明の他の実施形態によって、ＡＵＮアドレス情報の構造を示した図である。図５を参照するに、アドレスユニットのうち、ＡＵＮアドレス情報が割り当てられた４バイト、すなわち３２ビットのうち、上位４ビット（すなわち、２８−３１ビット）は予備領域、次のビット（すなわち、２７ビット）は容量拡張領域に割り当てられ、次の３ビット（すなわち、２４−２６ビット）は、前記ＡＵＮアドレス情報に対応するデータが記録されたレイヤ情報を、残りの２４ビット（すなわち、０−２３ビット）は、前記ＡＵＮに対応するデータの位置を示す。
【００５５】
前記予備領域は、図４と同様に、記録及び書き換え可能なディスクでの位置情報ではない付加情報を表示するために使われうる。例えば、予備領域は、欠陥が発生したクラスタアドレス及び欠陥クラスタアドレスを代替するクラスタアドレスを有する欠陥リストエントリの状態情報を保存するのに使われうる。容量拡張領域は、データの位置を表示するために割り当てられて残っている下位２４ビットで、前記ＡＵＮアドレス情報対応するデータの位置をいずれも表示できない場合に、データの位置を記録するのに使われうる。２２４に対応する空間以上の空間のデータが記録される場合に容量拡張領域を利用し、２２５に対応する空間のアドレスが記録される。最終的に、２個のユーザデータセクタに１つのアドレスが割り当てられるので、ＡＵＮアドレス情報の最下位ビット（すなわち、ビット０）は０に固定される。
【００５６】
図６は、本発明のさらに他の実施形態によって、ＡＵＮアドレス情報の構造を示した図である。
【００５７】
ＡＵＮアドレス情報が割り当てられた３２ビットのうち、上位５ビット（すなわち、２７−３１ビット）は予備領域に割り当てられ、次の３ビット（すなわち、２４−２６ビット）は前記ＡＵＮアドレス情報に対応するデータが記録されたレイヤ情報を、前記レイヤ情報領域の次の２４ビット（すなわち、０−２３ビット）は、前記ＡＵＮアドレス情報に対応するデータの位置を示す。予備領域は、欠陥が発生したクラスタアドレスと、これを代替するクラスタのアドレスとを含んでいる欠陥リストエントリの状態情報を表示する用途として使われうる。
【００５８】
ＡＵＮアドレス情報に対応するデータの位置を示す２４ビットのうち最下位の１ビットは２つの領域に区分され、データが記録される位置を示すためのフラッグとして使われる。最初の領域では０、次の領域では１に設定になる。従って、データが記録される位置は、最初の領域に、または次の領域で決定されうる。２個のセクタ当たり、１つのアドレスが割り当てられる。例えば、００，０１アドレスには、アドレス００が割り当てられ、１０，１１アドレスにはアドレス１０が割り当てられる。すなわち、２個のセクタ当たり１つのアドレスが割り当てられるので、最後のビットは常に０になる。しかし、該最後のビットを利用して２つの領域が区分される。最後のビットが０であるならば、最初の領域で、最後のビットが１であるならば、次の領域でデータが記録された領域であるか否かを判断できる。
【００５９】
このように、ＡＵＮに対応するデータの位置が２４ビットで表現され、２４ビットのうち最下位の１ビットを利用して２つの領域を区分できるので、各レイヤ当たり、２２４＊２に該当する空間のアドレスを示すことができる。
【００６０】
図７は、本発明による記録媒体の再生方法を図示したフローチャートである。
【００６１】
段階７１０では、光ヘッドユニットをアドレス情報に対応する目標位置に移動させる。
【００６２】
本発明の一実施形態によれば、図４で表示された通り、１つのアドレスフィールドは、３２ビットのＡＵＮアドレス情報を含むが、ＡＵＮアドレス情報のうち、上位４ビットは予備領域に割り当てられ、次の３ビットは、前記ＡＵＮアドレス情報に対応するデータが記録されたレイヤ情報を、残りの２５ビットは、前記ＡＵＮアドレス情報に対応するデータの位置を示す。
【００６３】
本発明の他の実施形態によれば、図５で表示された通り、ＡＵＮアドレス情報のうち、上位４ビットは予備領域、次の１ビットは容量拡張領域に割り当てられ、次の３ビットは、前記ＡＵＮアドレス情報に対応するデータが記録されたレイヤ情報を、残りの２４ビットは、前記ＡＵＮアドレス情報に対応するデータの位置を示す。
【００６４】
本発明のさらに他の実施形態によれば、図６で表示された通り、ＡＵＮアドレス情報のうち、上位５ビットは予備領域に割り当てられ、次の３ビットは、前記ＡＵＮアドレス情報に対応するデータが記録されたレイヤ情報を、前記レイヤ情報領域の次の２４ビットは、前記ＡＵＮアドレス情報に対応するデータの位置を示す。ＡＵＮアドレス情報に対応するデータの位置を示す２４ビットのうち、最下位１ビットは２つの領域に区分され、データが記録される位置を判別するフラッグとして使われるように、アドレスが割り当てられる。
【００６５】
再び図７で、段階７１０での光ヘッドユニットが移動した位置で、段階７２０では、データが再生される。
【００６６】
図８は、本発明による記録媒体の記録方法を図示したフローチャートである。
【００６７】
段階８１０では、データと、データの位置を示すアドレスとが記録されたクラスタが生成される。１つのクラスタは、１６個のアドレスフィールドを含む。
【００６８】
本発明の一実施形態によれば、図４で表示された通り、１つのアドレスフィールドは、３２ビットのＡＵＮアドレス情報を含むが、ＡＵＮアドレス情報のうち、上位４ビットは予備領域に割り当てられ、次の３ビットは、前記ＡＵＮアドレス情報に対応するデータが記録されたレイヤ情報を、残りの２５ビットは、前記ＡＵＮアドレス情報に対応するデータの位置を示す。
【００６９】
本発明の他の実施形態によれば、図５で表示された通り、ＡＵＮアドレス情報のうち、上位４ビットは予備領域、次の１ビットは容量拡張領域に割り当てられ、次の３ビットは、前記ＡＵＮアドレス情報に対応するデータが記録されたレイヤ情報を、残りの２４ビットは、前記ＡＵＮアドレス情報に対応するデータの位置を示す。
【００７０】
本発明のさらに他の実施形態によれば、図６での通り、ＡＵＮアドレス情報のうち、上位５ビットは予備領域に割り当てられ、次の３ビットは、前記ＡＵＮアドレス情報に対応するデータが記録されたレイヤ情報を、次の２４ビットは、前記ＡＵＮアドレス情報に対応するデータの位置を示す。ＡＵＮアドレス情報に対応するデータの位置を示す２４ビットのうち、最下位１ビットは２つの領域に区分され、データが記録される位置を判別するフラッグとして使われるように、アドレスが割り当てられる。
【００７１】
段階８２０では、生成されたクラスタを記録媒体に記録する。記録媒体記録装置のサーボが、クラスタを記録媒体に記録するように、ピックアップを制御する。
【００７２】
図９は、本発明による記録媒体の記録／再生装置を図示したブロックダイアグラムである。
【００７３】
本発明による記録／再生装置は、ピックアップ部９１０、サーボ９２０、システム制御器９３０、信号処理部９４０、制御部９５０及びホスト・インターフェース（Ｉ／Ｆ）部９６０を備える。
【００７４】
ピックアップ部９１０は、記録媒体に記録されたデータ及びその他の情報を再生する。サーボ９２０はピックアップ部９１０の動作を制御し、信号処理部９４０は、ピックアップ部９１０から受信された再生信号を所望の信号値に復元したり、信号を記録媒体に記録される信号に変調して伝達する。ホスト・インターフェース部９６０は、ホストからデータ構造を記録、または再生せよという命令を受けてこれを制御部９５０に伝達し、制御部９５０からデータなどを提供される。
【００７５】
制御部９５０内には、エンコーダとデコーダとが備えられている。デコーダは、記録媒体から読み出された信号をデコーディングしてホストに提供し、エンコーダは、制御部９５０の制御によって、入力信号を特定フォーマットの信号に変換して信号処理部９４０に伝達し、記録媒体に記録させる。また、信号処理部９４０は、制御部９５０の制御によって、アドレスとデータとが記録されたＥＣＣクラスタを生成する。その後、ピックアップ部９１０は、形成されたＥＣＣクラスタを記録媒体に記録する。信号処理部９４０は、クラスタ単位のデータ構造を生成するとき、当該クラスタ内に含まれる１６個のアドレスのフィールドに、アドレスを割り当てる。
【００７６】
本発明の一実施形態によれば、図４で表示された通り、１つのアドレスフィールドは、３２ビットのＡＵＮアドレス情報を含むが、ＡＵＮアドレス情報のうち、上位４ビットは予備領域に割り当てられ、次の３ビットは、前記ＡＵＮアドレス情報に対応するデータが記録されたレイヤ情報を、残りの２５ビットは、前記ＡＵＮアドレス情報に対応するデータの位置を示す。
【００７７】
本発明の他の実施形態によれば、ＡＵＮアドレス情報のうち、上位４ビットは予備領域、次の１ビットは容量拡張領域に割り当てられ、次の３ビットは、前記ＡＵＮアドレス情報に対応するデータが記録されたレイヤ情報を、残りの２４ビットは、前記ＡＵＮアドレス情報に対応するデータの位置を示す。
【００７８】
本発明のさらに他の実施形態によれば、図６で表示された通り、ＡＵＮアドレス情報のうち、上位５ビットは予備領域に割り当てられ、次の３ビットは、前記ＡＵＮアドレス情報に対応するデータが記録されたレイヤ情報を、次の２４ビットは、前記ＡＵＮアドレス情報に対応するデータの位置を示す。ＡＵＮアドレス情報に対応するデータの位置を示す２４ビットのうち、最下位１ビットは２つの領域に区分され、データが記録される位置を判別するフラッグとして使われるように、アドレスが割り当てられる。
【００７９】
一方、前述の記録及び再生方法は、コンピュータで実行されうるプログラムで作成可能であり、コンピュータで読み取り可能な記録媒体を利用し、前記プログラムを動作させる汎用デジタル・コンピュータで具現されうる。
【００８０】
前記コンピュータで読み取り可能な記録媒体は、マグネチック記録媒体（例えば、ＲＯＭ（Read-Only  Memory）、ＲＡＭ（Random-Access  Memory）、フロッピー（登録商標）ディスク、ハードディスクなど）、光学的判読媒体（例えば、ＣＤ−ＲＯＭ、ＤＶＤなど）及びキャリアウェーブ（例えば、インターネットを介した伝送）のような記録蔵媒体を含む。
【００８１】
以上、本発明についてその望ましい実施形態を中心に説明を行った。本発明が属する技術分野で当業者ならば、本発明が本発明の本質的な特性から外れない範囲で変形された形態で具現可能であるということを理解することができるであろう。従って、開示された実施形態は、限定的な観点ではなくして説明的な観点から考慮されねばならない。本発明の範囲は、前述の説明ではなくして特許請求の範囲に示されており、それと同等な範囲内にあるあらゆる差異点は、本発明に含まれるものと解釈されねばならない。
【図１】
2010510610.tif 000003
【図２】
2010510610.tif 000004
【図３】
2010510610.tif 000005
【図４】
2010510610.tif 000006
【図５】
2010510610.tif 000007
【図６】
2010510610.tif 000008
【図７】
2010510610.tif 000009
【図８】
2010510610.tif 000010
【図９】
2010510610.tif 000011
【手続補正書】
【提出日】平成21年5月29日(2009.5.29)
【手続補正１】
【補正対象書類名】特許請求の範囲
【補正対象項目名】全文
【補正方法】変更
【補正の内容】
【特許請求の範囲】
【請求項１】
記録及び／または再生装置により読み取られる、クラスタ単位でデータが記録された記録媒体において、
前記クラスタそれぞれは複数個のアドレスフィールドを含み、
前記アドレスフィールドそれぞれは、３２ビットのアドレスユニット番号のアドレス情報を含み、
前記アドレスユニット番号のアドレス情報は、
４ビットで記録される予備領域と、
前記アドレスユニット番号のアドレス情報に対応するデータが記録されたレイヤを決定するにおいて前記装置によって使われる、３ビットで記録されるレイヤ情報と、
前記アドレスユニット番号のアドレス情報に対応するデータの位置を決定するにおいて前記装置によって使われる、２５ビットで記録される位置情報とを含むことを特徴とする記録媒体。
【請求項２】
前記クラスタそれぞれは複数個のセクタをさらに含み、前記複数個のセクタのうち２個のセクタ別に、１つのアドレスフィールドが割り当てられることを特徴とする請求項１に記載の記録媒体。
【請求項３】
前記クラスタそれぞれの前記複数個のアドレスフィールドは、１６個のアドレスフィールドを含むことを特徴とする請求項２に記載の記録媒体。
【請求項４】
前記予備領域は、前記記録媒体に生じた欠陥についての状態情報を含むことを特徴とする請求項１に記載の記録媒体。
【請求項５】
前記アドレスフィールドそれぞれは、１バイトのフラッグ情報及び対応するアドレスフィールドについての４バイトのパリティ情報をさらに含むことを特徴とする請求項１に記載の記録媒体。
【請求項６】
前記１バイトのフラッグ情報は、前記クラスタの前記アドレス情報以外に、追加情報を含むことを特徴とする請求項５に記載の記録媒体。
【請求項７】
記録及び／または再生装置によって読み取られる、クラスタ単位でデータが記録された記録媒体において、
前記クラスタそれぞれは複数個のアドレスフィールドを含み、
前記アドレスフィールドそれぞれは、３２ビットのアドレスユニット番号のアドレス情報を含み、
前記アドレスユニット番号のアドレス情報は、
４ビットで記録される予備領域と、
１ビットで記録される容量拡張領域と、
前記アドレスユニット番号のアドレス情報に対応するデータが記録されたレイヤを決定するにおいて前記装置によって使われる、３ビットで記録されるレイヤ情報と、
前記アドレスユニット番号のアドレス情報に対応するデータの位置を決定するにおいて前記装置によって使われる、２４ビットで記録される位置情報とを含むことを特徴とする記録媒体。
【請求項８】
前記容量拡張領域は、前記位置情報で前記アドレスユニット番号に対応する前記データの位置をいずれも表示できない場合に利用されうることを特徴とする請求項７に記載の記録媒体。
【請求項９】
記録及び／または再生装置によって読み取られる、クラスタ単位でデータが記録された記録媒体において、
前記クラスタそれぞれは複数個のアドレスフィールドを含み、
前記アドレスフィールドそれぞれは、３２ビットのアドレスユニット番号のアドレス情報を含み、
前記アドレスユニット番号のアドレス情報は、
５ビットで記録される予備領域と、
前記アドレスユニット番号のアドレス情報に対応するデータが記録されたレイヤを決定するにおいて前記装置によって使われる、３ビットで記録されるレイヤ情報と、
前記アドレスユニット番号のアドレス情報に対応するデータの位置を決定するにおいて前記装置によって使われる、２４ビットで記録される位置情報とを含み、前記２４ビットのうち最下位１ビットは、２つの領域に区分された前記媒体でデータが記録される位置を判別するフラッグとして使われることを特徴とする記録媒体。
【請求項１０】
０の値を有する前記アドレスフィールドの最下位ビットは第１領域を示し、１の値を有する前記アドレスフィールドの最下位ビットは第２領域を示すことを特徴とする請求項９に記載の記録媒体。
【請求項１１】
クラスタ単位でデータが記録された記録媒体の再生方法において、
アドレスユニット番号のアドレス情報に対応するデータが記録された前記記録媒体の目標位置に光ヘッドユニットを移動させる段階と、
前記記録媒体の前記目標位置で前記データを再生する段階とを含むが、
前記アドレスユニット番号のアドレス情報は、
４ビットで記録される予備領域と、
前記アドレスユニット番号のアドレス情報に対応するデータが記録されたレイヤを示す、３ビットで記録されるレイヤ情報と、
前記アドレスユニット番号のアドレス情報に対応するデータの位置を示す、２５ビットで記録される位置情報とを含むことを特徴とする記録媒体の再生方法。
【請求項１２】
クラスタ単位でデータが記録された記録媒体の再生装置において、
アドレスユニット番号のアドレス情報に対応するデータが記録された記録媒体の目標位置に光ヘッドユニットを移動させる制御部と、
前記記録媒体の前記目標位置で前記データを再生するピックアップ部とを備えるが、
前記クラスタそれぞれは複数個のアドレスフィールドを含み、
前記アドレスフィールドそれぞれは、３２ビットのアドレスユニット番号のアドレス情報を含み、
前記アドレスユニット番号のアドレス情報は、
４ビットで記録される予備領域と、
前記アドレスユニット番号のアドレス情報に対応するデータが記録されたレイヤを示す、３ビットで記録されるレイヤ情報と、
前記アドレスユニット番号のアドレス情報に対応するデータの位置を示す、２５ビットで記録される位置情報とを含むことを特徴とする記録媒体の再生装置。
【請求項１３】
クラスタ単位でデータを記録媒体に記録する方法において、
アドレスとデータとが記録されたクラスタを生成する段階と、
前記生成されたクラスタを前記記録媒体に記録する段階とを含むが、
前記クラスタそれぞれは複数個のアドレスフィールドを含み、
前記アドレスフィールドそれぞれは、３２ビットのアドレスユニット番号のアドレス情報を含み、
前記アドレスユニット番号のアドレス情報は、
４ビットで記録される予備領域と、
前記アドレスユニット番号のアドレス情報に対応するデータが記録されたレイヤを示す、３ビットで記録されるレイヤ情報と、
前記アドレスユニット番号のアドレス情報に対応するデータの位置を示す、２５ビットで記録される位置情報とを含むことを特徴とする記録媒体の記録方法。
【請求項１４】
クラスタ単位で記録媒体にデータを記録する記録装置において、
アドレスとデータとが記録されたクラスタを生成する信号処理部と、
前記生成されたクラスタを記録媒体に記録するピックアップ部とを備えるが、
前記クラスタそれぞれは複数個のアドレスフィールドを含み、
前記アドレスフィールドそれぞれは、３２ビットのアドレスユニット番号のアドレス情報を含み、
前記アドレスユニット番号のアドレス情報は、
４ビットで記録される予備領域と、
前記アドレスユニット番号のアドレス情報に対応するデータが記録されたレイヤを示す、３ビットで記録されるレイヤ情報と、
前記アドレスユニット番号のアドレス情報に対応するデータの位置を示す、２５ビットで記録される位置情報とを含むことを特徴とする記録媒体の記録装置。
【請求項１５】
記録及び／または再生装置によって読み取られる、クラスタ単位でデータが記録された記録媒体において、
前記クラスタそれぞれは複数個のアドレスフィールドを含み、
前記アドレスフィールドそれぞれは、３２ビットのアドレスユニット番号のアドレス情報を含み、
前記アドレスユニット番号のアドレス情報は、
少なくとも４ビットで記録される予備領域と、
前記アドレスユニット番号のアドレス情報に対応するデータが記録されたレイヤを決定するにおいて前記装置によって使われる、少なくとも３ビットで記録されるレイヤ情報と、
前記アドレスユニット番号のアドレス情報に対応するデータの位置を決定するにおいて前記装置によって使われる、少なくとも２４ビットで記録される位置情報とを含むことを特徴とする記録媒体。
【国際調査報告】
2010510610.tif 000012
2010510610.tif 000013